【手続補正書】
【提出日】平成28年10月28日(2016.10.28)
【手続補正１】
【補正対象書類名】明細書
【補正対象項目名】０００８
【補正方法】変更
【補正の内容】
【０００８】
本発明に係る画像処理装置は、印刷手段と、前記画像処理装置の情報を記憶する記憶手段と、前記画像処理装置にログインしたログインユーザに関連付けられた表示言語で操作画面を表示する表示制御手段と、前記ログインユーザに関連付けられた表示言語で表示された前記操作画面を用いて入力された指示に基づき、前記情報を前記印刷手段によりレポートとして印刷する手動レポート印刷の実行を制御する印刷制御手段と、を備え、前記印刷制御手段は、前記手動レポート印刷を前記ログインユーザに関連付けられた表示言語で行うことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明によれば、手動レポート印刷と自動レポート印刷のいずれの場合でもユーザが欲する言語でレポート印刷を行うことができる。
【手続補正４】
【補正対象書類名】明細書
【補正対象項目名】００４１
【補正方法】変更
【補正の内容】
【００４１】
図１０の処理は、ＭＦＰ１０１がレポート印刷の指示を受けることに応じて開始され、先ずステップＳ１００１において、ＣＰＵ２１１は、印刷指示を受けたレポートが自動レポートであるか否かをレポート管理テーブル８００（図８参照）に基づいて判断する。自動レポート印刷である場合（Ｓ１００１でＹＥＳ）、つまり、印刷指示を受けたレポート名に対応する自動レポート欄８０２がＯＮとなっている場合、ＣＰＵ２１１は、処理をステップＳ１００２へ進める。一方、自動レポート印刷ではない場合（Ｓ１００１でＮＯ）、つまり、印刷指示を受けたレポート名に対応する自動レポート欄８０２がＯＦＦとなっている場合、ＣＰＵ２１１は、処理をステップＳ１００５へ進める。
【手続補正５】
【補正対象書類名】明細書
【補正対象項目名】００４５
【補正方法】変更
【補正の内容】
【００４５】
ステップＳ１００５において、ＣＰＵ２１１は、レポート印字言語を図９のステップＳ９０４でＨＤＤ２１４に記憶した操作部２２０の表示言語から取得する。例えば、ユーザＡの場合には日本語が、ユーザＢの場合には英語がレポート印字言語として取得される。ステップＳ１００６では、ＣＰＵ２１１は、レポート印字言語として、図３の操作画面３００で設定された管理者用の表示言語をＨＤＤ２１４から取得する。
【手続補正６】
【補正対象書類名】明細書
【補正対象項目名】００４６
【補正方法】変更
【補正の内容】
【００４６】
ステップＳ１００５，Ｓ１００６が終了すると、処理はステップＳ１００７へ進められ、ステップＳ１００７において、ＣＰＵ２１１は、ステップＳ１００５，Ｓ１００６で取得した言語で印刷指示を受けたレポートの印字内容を作成する。続くステップＳ１００８において、ＣＰＵ２１１は、ステップＳ１００７で作成したレポートをプリンタ部２２１で印刷し、出力する。これにより本処理は終了となる。
【手続補正７】
【補正対象書類名】明細書
【補正対象項目名】００５５
【補正方法】変更
【補正の内容】
【００５５】
図１２の処理は、ＭＦＰ１０１がレポート印刷の指示を受けることに応じて開始され、先ずステップＳ１２０１において、ＣＰＵ２１１は、印刷指示を受けたレポートが自動レポートであるか否かをレポート管理テーブル８００（図８参照）に基づいて判断する。自動レポート印刷である場合（Ｓ１２０１でＹＥＳ）、つまり、印刷指示を受けたレポート名に対応する自動レポート欄８０２がＯＮとなっている場合、ＣＰＵ２１１は、処理をステップＳ１２０２へ進める。一方、自動レポート印刷ではない場合（Ｓ１２０１でＮＯ）、つまり、印刷指示を受けたレポート名に対応する自動レポート欄８０２がＯＦＦとなっている場合、ＣＰＵ２１１は、処理をステップＳ１２０８へ進める。
【手続補正８】
【補正対象書類名】明細書
【補正対象項目名】００５６
【補正方法】変更
【補正の内容】
【００５６】
ステップＳ１２０２において、ＣＰＵ２１１は、印刷指示を受けたレポートが結果レポートであるか否かをレポート管理テーブル８００に基づいて判断する。結果レポートである場合（Ｓ１２０２でＹＥＳ）、つまり、印刷指示を受けたレポート名に対応する結果レポート欄８０３がＯＮとなっている場合、ＣＰＵ２１１は、処理をステップ１２０３へ進める。一方、結果レポートではない場合（Ｓ１２０２でＮＯ）、つまり、印刷指示を受けたレポート名に対応する結果レポート欄８０３がＯＦＦとなっている場合、ＣＰＵ２１１は、処理をステップ１２１０へ進める。
【手続補正９】
【補正対象書類名】特許請求の範囲
【補正対象項目名】全文
【補正方法】変更
【補正の内容】
【特許請求の範囲】
【請求項１】
画像処理装置であって、
印刷手段と、
前記画像処理装置の情報を記憶する記憶手段と、
前記画像処理装置にログインしたログインユーザに関連付けられた表示言語で操作画面を表示する表示制御手段と、
前記ログインユーザに関連付けられた表示言語で表示された前記操作画面を用いて入力された指示に基づき、前記情報を前記印刷手段によりレポートとして印刷する手動レポート印刷の実行を制御する印刷制御手段と、を備え、
前記印刷制御手段は、前記手動レポート印刷を前記ログインユーザに関連付けられた表示言語で行うことを特徴とする画像処理装置。
【請求項２】
前記記憶手段に記憶される前記情報は、前記画像処理装置の設定情報と履歴情報であることを特徴とする請求項１に記載の画像処理装置。
【請求項３】
前記表示制御手段は、前記ログインユーザに関する情報を表示することを特徴とする請求項１又は２に記載の画像処理装置。
【請求項４】
前記印刷制御手段は、前記情報を前記印刷手段によりレポートとして自動的に印刷する自動レポート印刷を実行し、
前記表示制御手段は、前記自動レポート印刷を所定の言語で行うことを特徴とする請求項１乃至３のいずれか１項に記載の画像処理装置。
【請求項５】
前記所定の言語は、前記画像処理装置の管理者に関連付けられた表示言語であることを特徴とする請求項４に記載の画像処理装置。
【請求項６】
画像データを送信する複数の送信ジョブの結果が送信履歴情報として前記記憶手段に記憶され、
前記記憶手段に記憶された前記送信履歴情報が前記自動レポート印刷または前記手動レポート印刷で印刷されることを特徴とする請求項４又は５に記載の画像処理装置。
【請求項７】
前記印刷制御手段は、実行済みの送信ジョブの数が所定の数に達したときに、前記自動レポート印刷を実行することを特徴とする請求項６に記載の画像処理装置。
【請求項８】
前記ログインユーザに関連付けられた表示言語は、前記画像処理装置のユーザごとに関連付けられた言語であることを特徴とする請求項１乃至７のいずれか１項に記載の画像処理装置。
【請求項９】
印刷手段と記憶手段を有する画像処理装置の制御方法であって、
前記画像処理装置の情報を前記記憶手段に記憶するステップと、
前記画像処理装置にログインしたログインユーザに関連付けられた表示言語で操作画面を表示するステップと、
前記ログインユーザに関連付けられた表示言語で表示された前記操作画面を用いて入力された指示に基づき、前記情報を前記印刷手段によりレポートとして印刷する手動レポート印刷の実行を制御するステップと、を有し、
前記手動レポート印刷は、前記ログインユーザに関連付けられた表示言語で行われることを特徴とする画像処理装置の制御方法。
【請求項１０】
印刷手段と記憶手段を有する画像処理装置の制御方法をコンピュータに実行させるためのプログラムであって、
前記制御方法は、
前記画像処理装置の情報を前記記憶手段に記憶するステップと、
前記画像処理装置にログインしたログインユーザに関連付けられた表示言語で操作画面を表示するステップと、
前記ログインユーザに関連付けられた表示言語で表示された前記操作画面を用いて入力された指示に基づき、前記情報を前記印刷手段によりレポートとして印刷する手動レポート印刷の実行を制御するステップと、を有し、
前記手動レポート印刷は、前記ログインユーザに関連付けられた表示言語で行われることを特徴とするプログラム。